(57)【要約】【課題】ＬＥＤをバックライトの光源とするものであって、ＬＥＤをチャンネルごとに容易に取替えることが可能となる、画像表示装置を提供する。【解決手段】ディスプレイが設けられた本体と、前記本体に着脱自在となっており、各々にＬＥＤが設けられた複数個のＬＥＤモジュールが取付けられるバックライトユニットと、を備え、前記ＬＥＤが発する光をバックライトとして、前記ディスプレイに画像を表示する画像表示装置であって、前記複数個のＬＥＤモジュールの各々は、前記ＬＥＤの発光輝度の制御単位となるチャンネルが別個に割当てられており、互いに独立して取替自在となっている画像表示装置とする。【選択図】図４
2012113152.tif 000002
【特許請求の範囲】
【請求項１】
ディスプレイが設けられた本体と、
前記本体に着脱自在となっており、各々にＬＥＤが設けられた複数個のＬＥＤモジュールが取付けられるバックライトユニットと、を備え、
前記ＬＥＤが発する光をバックライトとして、前記ディスプレイに画像を表示する画像表示装置であって、
前記複数個のＬＥＤモジュールの各々は、
前記ＬＥＤの発光輝度の制御単位となるチャンネルが別個に割当てられており、互いに独立して取替自在となっていることを特徴とする画像表示装置。
【請求項２】
前記複数個のＬＥＤモジュールは、前記バックライトユニットに取付けられたときに一体化して、バックライト回路部を形成する請求項１に記載の画像表示装置であって、
前記バックライト回路部は、
前記ＬＥＤの各々の一端を前記本体に接続させる第１ラインと、
前記ＬＥＤモジュールごとに設けられており、それぞれが、対応する該ＬＥＤモジュールに設けられたＬＥＤの他端を前記本体に接続させる第２ラインと、を形成しており、
前記本体は、
前記第１ラインおよび第２ラインを用いて、前記ＬＥＤの各々に電流を流す一方、
前記第２ラインごとに前記電流の大きさを制御することにより、前記ＬＥＤの発光輝度を制御することを特徴とする画像表示装置。
【請求項３】
前記ＬＥＤモジュールの各々を、前記ディスプレイの表示面における各エリアに対応して配置させ、
前記エリアごとにバックライトの明るさが調整される、ローカルディミングが実現されるようにしたことを特徴とする請求項２に記載の画像表示装置。
【請求項４】
前記ディスプレイの後側に導光板を備え、
前記バックライトユニットは、
Ｎ個（２≦Ｎ）の前記ＬＥＤモジュールが、前記導光板の縁に沿って列を形成するように取付けられるものであり、
前記導光板とともに、エッジライト方式のバックライトを形成することを特徴とする請求項３に記載の画像表示装置。
【請求項５】
前記ＬＥＤモジュールの各々は、
前記ＬＥＤの複数個が設けられており、
該複数個のＬＥＤは、該ＬＥＤモジュールの並ぶ方向と略同一方向に並べられ、互いに直列接続されていることを特徴とする請求項４に記載の画像表示装置。
【請求項６】
ＬＥＤと、該ＬＥＤの一端に接続された第１サブラインと、互いに独立した１番目からＮ番目までの第２サブラインと、を有した共通のベース部品を用いて、前記ＬＥＤモジュールの各々が形成される請求項４または請求項５に記載の画像表示装置であって、
前記ベース部品は、
隣り合う他のベース部品との間で、第１サブライン同士および１番目からＮ番目までの第２サブライン同士がそれぞれ接続するように構成されており、前記ＬＥＤの他端を前記第２サブラインのうちのＫ番目（１≦Ｋ≦Ｎ）のみに接続させる処理が加えられることで、前記列のＫ番目に配置された前記ＬＥＤモジュールを形成するものであり、
前記第１ラインは、前記第１サブライン同士が連結することにより形成され、
前記第２ラインは、前記第２サブライン同士が連結することにより形成されることを特徴とする画像表示装置。
【発明の詳細な説明】
【技術分野】
【０００１】
本発明は、ＬＥＤをバックライトの光源とした画像表示装置に関する。
【背景技術】
【０００２】
従来、液晶表示装置のように、バックライトを用いてディスプレイに画像を表示する画像表示装置が広く利用されている。また近年では、ＬＥＤ［Light Emitting Diode］をバックライトの光源とした画像表示装置も開発されている。ＬＥＤを利用することにより、バックライトの長寿命化や消費電力の低減などが実現される。
【０００３】
特許文献１には、バックライトの光源としてＬＥＤを採用した液晶表示装置が開示されている。また当該液晶表示装置においては、各ＬＥＤは光源ユニットに設けられており、更にこの光源ユニットは交換可能となっている。これにより、ＬＥＤに故障や劣化等の不具合が生じても、光源ユニットを取替えて（新しいものに交換して）、当該不具合を解消させることが可能となっている。
【先行技術文献】
【特許文献】
【０００４】
【特許文献１】特開２０１０−００９７８７号公報
【特許文献２】特開２００７−１８３５６０号公報
【発明の概要】
【発明が解決しようとする課題】
【０００５】
ところで先述した光源ユニットに複数個のＬＥＤが配置されている場合、そのうちの一部にだけ不具合が生じることがある。この場合、ＬＥＤを光源ユニットの単位でしか取替えることが出来ない場合は、不具合のあるＬＥＤを取替えるにあたって、正常なＬＥＤまで無駄に取替えられることとなってしまう。
【０００６】
またローカルディミングを行うモデルのように、バックライトの発光輝度がチャンネル（発光輝度の制御単位）ごとに調整される場合には、ＬＥＤの使用履歴はチャンネルによって差が生じる。このような事情から、多くの場合、ＬＥＤにおける劣化や故障などの不具合は、チャンネルごとに発生し易くなる。そのためＬＥＤは、チャンネルごとに容易に取替え可能であることが望ましい。
【０００７】
本発明は上述した問題に鑑み、ＬＥＤをバックライトの光源とするものであって、ＬＥＤをチャンネルごとに容易に取替えることが可能となる、画像表示装置の提供を目的とする。
【課題を解決するための手段】
【０００８】
上記目的を達成するため、本発明に係る画像表示装置は、ディスプレイが設けられた本体と、前記本体に着脱自在となっており、各々にＬＥＤが設けられた複数個のＬＥＤモジュールが取付けられるバックライトユニットと、を備え、前記ＬＥＤが発する光をバックライトとして、前記ディスプレイに画像を表示する画像表示装置であって、前記複数個のＬＥＤモジュールの各々は、前記ＬＥＤの発光輝度の制御単位となるチャンネルが別個に割当てられており、互いに独立して取替自在となっている構成とする。
【０００９】
本構成によれば、ＬＥＤモジュールの取替により、ＬＥＤをチャンネルごとに取替えることが可能となる。そのため、ＬＥＤをチャンネルごとに取替えることが容易となる。なおここでのＬＥＤは、単数のＬＥＤに限られるものではなく、例えば、複数個のＬＥＤが直列接続されたものをも含む概念である。
【００１０】
また上記構成としてより具体的には、前記複数個のＬＥＤモジュールは、前記バックライトユニットに取付けられたときに一体化して、バックライト回路部を形成するものであり、前記バックライト回路部は、前記ＬＥＤの各々の一端を前記本体に接続させる第１ラインと、前記ＬＥＤモジュールごとに設けられており、それぞれが、対応する該ＬＥＤモジュールに設けられたＬＥＤの他端を前記本体に接続させる第２ラインと、を形成しており、前記本体は、前記第１ラインおよび第２ラインを用いて、前記ＬＥＤの各々に電流を流す一方、前記第２ラインごとに前記電流の大きさを制御することにより、前記ＬＥＤの発光輝度を制御する構成としてもよい。
【００１１】
また上記構成としてより具体的には、前記ＬＥＤモジュールの各々を、前記ディスプレイの表示面における各エリアに対応して配置させ、前記エリアごとにバックライトの明るさが調整される、ローカルディミングが実現されるようにした構成としてもよい。
【００１２】
また上記構成としてより具体的には、前記ディスプレイの後側に導光板を備え、前記バックライトユニットは、Ｎ個（２≦Ｎ）の前記ＬＥＤモジュールが、前記導光板の縁に沿って列を形成するように取付けられるものであり、前記導光板とともに、エッジライト方式のバックライトを形成する構成としてもよい。
【００１３】
また上記構成としてより具体的には、前記ＬＥＤモジュールの各々は、前記ＬＥＤの複数個が設けられており、該複数個のＬＥＤは、該ＬＥＤモジュールの並ぶ方向と略同一方向に並べられ、互いに直列接続されている構成としてもよい。
【００１４】
また、ＬＥＤと、該ＬＥＤの一端に接続された第１サブラインと、互いに独立した１番目からＮ番目までの第２サブラインと、を有した共通のベース部品を用いて、前記ＬＥＤモジュールの各々が形成される、上記構成の画像表示装置において、前記ベース部品は、隣り合う他のベース部品との間で、第１サブライン同士および１番目からＮ番目までの第２サブライン同士がそれぞれ接続するように構成されており、前記ＬＥＤの他端を前記第２サブラインのうちのＫ番目（１≦Ｋ≦Ｎ）のみに接続させる処理が加えられることで、前記列のＫ番目に配置された前記ＬＥＤモジュールを形成するものであり、前記第１ラインは、前記第１サブライン同士が連結することにより形成され、前記第２ラインは、前記第２サブライン同士が連結することにより形成される構成としてもよい。
【発明の効果】
【００１５】
上述した通り、本発明に係る画像表示装置によれば、ＬＥＤモジュールの取替により、ＬＥＤをチャンネルごとに取替えることが可能となる。そのため、ＬＥＤをチャンネルごとに取替えることが容易となる。
【図面の簡単な説明】
【００１６】
【図１】本発明の実施形態に係る画像表示装置の外観図である。
【図２】本発明の実施形態に係る画像表示装置の断面図である。
【図３】本発明の実施形態に係る画像表示装置における、主な動作に関わる体系の説明図である。
【図４】本発明の実施形態に係るバックライトユニットの外観図である。
【図５】本発明の実施形態に係るライトバーの接続形態に関する説明図である。
【図６】バックライトユニットが着脱自在である様子に関する説明図である。
【図７】本発明の実施形態に係る画像表示装置の、別の外観図である。
【図８】バックライトユニットが着脱自在である様子に関する、別の説明図である。
【図９】ライトバー４ａの回路構成に関する説明図である。
【図１０】ライトバー４ｂの回路構成に関する説明図である。
【図１１】ライトバー４ｃの回路構成に関する説明図である。
【図１２】バックライト回路の回路構成に関する説明図である。
【図１３】ライトバーのベース部品に関する説明図である。
【図１４】本体とバックライトユニットの接続に関する説明図である。
【発明を実施するための形態】
【００１７】
本発明の実施形態について、画像表示装置を挙げて以下に説明する。
【００１８】
［画像表示装置の全体構成等について］
図１は、当該画像表示装置１を前側から見た外観図である。本図に示すように画像表示装置１は、略直方体に形成されている筐体１１を有している。筐体１１の前面には、前方に向けて画像を表示するように、液晶パネル１２（ディスプレイ）が設けられている。
【００１９】
液晶パネル１２は、平面視矩形状をなしており、一対のガラス基板が所定のギャップを隔てた状態で貼り合わせられるとともに、両ガラス基板間に液晶が封入された構成とされている。液晶パネル１２は、例えば筐体１１に設けられたベゼルによって固定されている。
【００２０】
また一方のガラス基板には、互いに直交するソース配線とゲート配線とに接続されたスイッチング素子（例えば薄膜トランジスタ）と、そのスイッチング素子に接続された画素電極、さらには配向膜等が設けられ、他方のガラス基板には、ＲＧＢ（赤・緑・青）等の各着色部が所定配列で配置されたカラーフィルタや共通電極、さらには配向膜等が設けられている。また両基板の外側には、さらに偏光板が配されている。
【００２１】
液晶パネル１２の各画素においては、スイッチング素子の制御を通じて、バックライトの透過度合が調整されることになる。また液晶パネル１２には、例えば、ハイビジョン用の１９２０×１０８０ドットのカラー画素が形成されるが、画素の数や種類などについては他の態様であっても構わない。
【００２２】
また筐体１１の内部には、バックライトユニットや、導光板などの光学部材が設けられている。導光板は液晶パネル１２の後側に、液晶パネル１２の表示面に平行となるように配置されている。
【００２３】
図２は、導光板に平行な面で切断した場合の画像表示装置１の断面図である。本図に示すように当該導光板１５は、液晶パネル１２とほぼ同等のサイズに形成されており、筐体１１に固定されている。画像の表示方向に見て、液晶パネル１２の表示面と導光板１５は、互いに重なり合っている。そして導光板１５の上下の縁の近傍には、それぞれにライトバー４の取付けられた４個のバックライトユニット（２ａ〜２ｄ、以下、「バックライトユニット２」と総称することがある）が配置されている。
【００２４】
図２に示すように、バックライトユニット２ａは導光板１５の左上側に、バックライトユニット２ｂは導光板１５の右上側に、バックライトユニット２ｃは導光板１５の左下側に、バックライトユニット２ｄは導光板１５の右下側に、それぞれ配置されている。
【００２５】
なお各バックライトユニット２は、本体とは別にパーツ化（カートリッジ化）されており、図８に示すように、本体（筐体１１や液晶パネル１２等から成る、バックライトユニット２以外の部分を指す。以下同様。）に対して着脱自在となっている。
【００２６】
また各バックライトユニット２には、３個のライトバー４が、導光板１５の縁に沿って列を形成するように、並べられて取付けられている。更に各ライトバー４には、バックライトの光源となる複数個のＬＥＤ４１が、このライトバー４の並ぶ方向と同一方向に並べられ、互いに直列接続されている。これらの点については、改めてより詳細に説明する。
【００２７】
またＬＥＤ４１は、ライトバー４ごとに発光輝度の制御が可能となっている。すなわち画像表示装置１は、ＬＥＤ４１の発光輝度の制御をチャンネルの単位で行うことが可能であるとともに、ライトバー４の各々に当該チャンネルが別個に割当てられている。より具体的には図２に示しているように、左上側に位置するライトバー４から順に、１から１２ｃｈまでの各チャンネルが割当てられている。
【００２８】
上述した構成によりバックライトユニット２は、導光板１５とともにエッジライト方式（導光板方式）のバックライトを形成している。すなわちＬＥＤ４１が発した光は、導光板１５に側面（上面または下面）から入射し、表面反射を繰り返して、導光板１５の表面（液晶パネル１２に対向する面）から放出されることで、液晶パネル１２に届けられる。
【００２９】
ここで導光板１５は、光が入射したときに、その光が、その入射位置に近い箇所から多く放出されるように形成されている。そのため図２に示すように、導光板１５をＡ１からＡ１２までの１２個のエリアに分割すると、それぞれのエリアが、互いに異なる一のチャンネルに対応している。
【００３０】
より具体的には、Ａｎ（ｎは１〜１２の各々とする）のエリアは、ｎｃｈに対応している。そして各エリアの明るさ（放出される光の量）は、対応するチャンネルにおける制御の影響を、強く受けるようになっている。例えば、３ｃｈにおいて、発光輝度がより低くなるように制御されると、主にＡ３のエリアがより暗くなる。画像表示装置１は、このことを利用し、バックライトのローカルディミングを実現するようになっている。
【００３１】
すなわち画像表示装置１においては、ライトバー４の各々が、液晶パネル１２の表示面における各エリア（Ａ１からＡ１２のエリアの各々の正面部分）に対応して配置されている。そして画像表示装置１は、ライトバー４ごとにＬＥＤ４１の発光輝度を制御することで、液晶パネル１２の表示面におけるエリアごとに、バックライトの明るさを調整するようになっている。
【００３２】
図３は、画像表示装置１の主な動作に関わる体系を表している。本図に示すように画像表示装置１には、上述したものの他、画像処理回路７１、液晶パネルドライバ７２、およびバックライトドライバ７３などが備えられている。これらは、例えば基板に搭載された状態で、筐体１１の内部に備えられている。
【００３３】
画像処理回路７１は、所定の手段（例えば放送信号の受信）によって画像（動画または静止画）の情報を取得する。そして画像処理回路７１はこの情報に基づいて、画像が適切に表示されるように、液晶パネル用信号およびバックライト用信号を生成する。なお液晶パネル用信号は、液晶パネル１２の各画素に対するバックライトの透過度合を特定する情報を含み、液晶パネルドライバ７２に送出される。またバックライト用信号は、各チャンネルに対する発光輝度を特定する情報を含み、バックライトドライバ７３に送出される。
【００３４】
ここで画像処理回路７１は、バックライトについてのローカルディミングが実現されるように、これらの信号を生成する。すなわち画像処理回路７１は、画像中の暗い部分に対応するチャンネルについては、バックライトの明るさ（ＬＥＤ４１の発光輝度）が低くなるように、バックライト用信号を生成する。また画像処理回路７１は、バックライトが暗くされた分の画像の明るさの変動を補正するように、液晶パネル用信号を生成する。なお、エッジライト方式のバックライトにおけるローカルディミングの手法自体については、既に知られているため、ここでは詳細な説明を省略する。
【００３５】
液晶パネルドライバ７２は、受取った液晶パネル用信号に基づいて、液晶パネル１２におけるバックライトの透過度合を画素ごとに調整する。またバックライトドライバ７３は、受取ったバックライト用信号に基づいて、ＬＥＤ４１の発光輝度をチャンネルごとに調整する。これらの動作がなされることにより、液晶パネル１２の表示面に画像が表示される。
【００３６】
［バックライトユニットの形態等について］
次にバックライトユニット２の形態について、より詳細に説明する。図４は、バックライトユニット２の外観図である。なお図４は、画像表示装置１の左下側に配置されるバックライトユニット２ｃの形状を代表的に示しており、他のバックライトユニットの形状は、その配置位置に応じて図４に示すものと対称の形状になっている。
【００３７】
つまり左上側に配置されるバックライトユニット２ａの形状は、バックライトユニット２ｃとの関係では、水平面に対称の形状となっている。またバックライトユニット２ｂおよびバックライトユニット２ｄの形状は、それぞれ、バックライトユニット２ａおよびバックライトユニット２ｃとの関係では、垂直面に対称の形状となっている。
【００３８】
図４に示すようにバックライトユニット２は、概ね直方体に形成された放熱板２１を有しており、その長手方向の一端面に固定板２２が、当該端面と平行になるように設けられている。固定板２２には、本体へのねじ止めを可能とするための貫通穴２３が設けられている。
【００３９】
そして放熱板２１には、３種類のライトバー４（ライトバー４ａ〜４ｃの総称）が、ねじ２４を用いて取付けられている。より具体的には、ライトバー４ａ（１番目のライトバー）、ライトバー４ｂ（２番目のライトバー）、およびライトバー４ｃ（３番目のライトバー）が、固定板２２の設けられていない端面側から順に、放熱板２１の長手方向に並ぶように取付けられている。また各ライトバー４は、それを固定しているねじ２４を緩めて、他のライトバー４とは独立して取替自在（新しいものに自在に取替えることが可能）となっている。
【００４０】
各ライトバー４は、同じサイズの略直方体に形成されており、その長手方向に並ぶように４個のＬＥＤ４１が設けられている。なお各ライトバー４は、その長手方向が、放熱板２１の長手方向に一致するように、放熱板２１へ取付けられるものとなっている。これにより、ライトバー４の並ぶ方向およびＬＥＤ４１の並ぶ方向は、導光板１５の上下の縁に沿う方向と一致する。
【００４１】
また各ライトバー４には、他のライトバー４等との電気的接続に用いられるコネクタ４２（コネクタ４２ａ〜４２ｅの総称）が、その長手方向の端面側に設けられている。より具体的には、図５に示すように、ライトバー４ａの一端側にはコネクタ４２ａが、ライトバー４ｂの一端側にはコネクタ４２ｂが、ライトバー４ｂの他端側にはコネクタ４２ｃが、ライトバー４ｃの一端側にはコネクタ４２ｄが、ライトバー４ｃの他端側にはコネクタ４２ｅが、それぞれ設けられている。
【００４２】
そして図５に示すように、ライトバー４ａとライトバー４ｂが放熱板２１へ取付けられた状態（位置決めされた状態）では、コネクタ４２ａがコネクタ４２ｂへ接続されるようになっている。また同様に、ライトバー４ｂとライトバー４ｃが放熱板２１へ取付けられた状態では、コネクタ４２ｃがコネクタ４２ｄへ接続されるようになっている。
【００４３】
なお先述したバックライトドライバ７３には、それぞれの（４個の）バックライトユニット２に対応して、４個のコネクタ１３が備えられている。コネクタ４２ｅは、そのバックライトユニット２に対応しているコネクタ１３へ、例えば手作業によって接続可能となっている。この接続により、バックライトドライバ７３は、各バックライトユニット２への電力供給が可能となる。
【００４４】
図６は、各バックライトユニット２が本体に対し着脱自在である様子を表している。また図７は、バックライトユニット２が装着された状態（図の左側）および取り外された状態（図の右側）における、画像表示装置１の外観図（主に右側面を示す）を表している。これらの図に示すように、筐体１１の左右側面には、各バックライトユニット２が挿入される開口部１１ａが設けられている。
【００４５】
より具体的には、筐体１１の左側面の上側および下側には、それぞれ、バックライトユニット２ａおよびバックライトユニット２ｃが挿入される開口部１１ａが設けられている。また筐体１１の右側面の上側および下側には、それぞれ、バックライトユニット２ｂおよびバックライトユニット２ｄが挿入される開口部１１ａが設けられている。
【００４６】
また各開口部１１ａの近傍には、貫通穴２３に対応する位置にねじ穴１１ｂが設けられている。バックライトユニット２は通常、貫通穴２３とねじ穴を利用して、本体へねじ止めされている。また筐体１１の内部には、各開口部１１ａから導光板１５の上下の縁に沿う方向へ伸びるように、ガイドレール１１ｃが設けられている。各バックライトユニット２は、ガイドレール１１ｃに沿ってスライドさせ、図６の矢印に示す向きに出し入れすることが可能となっている。また各開口部１１ａでは、コネクタ１３を引出すことが可能となっており、手作業によってコネクタ４２ｅをコネクタ１３に接続させたり切り離したりすることが容易となっている。
【００４７】
また図８は、各バックライトユニット２が本体に対し着脱自在である様子を、図２と同様の断面図として表している。本図に示すように、各バックライトユニット２は、ＬＥＤ４１が導光板１５に向いた状態を保ちながら、左右方向にスライドさせることが出来る。全てのバックライトユニット２が最も奥まで挿入されて本体に装着された状態、すなわち図２に示す状態では、導光板１５の上面は１〜６ｃｈのライトバー４に、導光板１５の下面は７〜１２ｃｈのライトバー４に、それぞれ対面することとなる。
【００４８】
なお図８に示すように、導光板１５の左右両端には凹状部１５ａが設けられており、筐体１１に設けられた凸状部１１ｄが、凹状部１５ａに嵌め込まれている。これにより導光板１５は、筐体１１にしっかりと固定されており、仮に全てのバックライトユニット２が取り外されても動かないようになっている。
【００４９】
また図２および図４から明らかなように、バックライトユニット２ａに取付けられたライトバー４ｃ、４ｂ、および４ａは、それぞれ、１ｃｈ、２ｃｈ、および３ｃｈに対応している。またバックライトユニット２ｂに取付けられたライトバー４ａ、４ｂ、および４ｃは、それぞれ、４ｃｈ、５ｃｈ、および６ｃｈに対応している。またバックライトユニット２ｃに取付けられたライトバー４ｃ、４ｂ、および４ａは、それぞれ、７ｃｈ、８ｃｈ、および９ｃｈに対応している。またバックライトユニット２ｄに取付けられたライトバー４ａ、４ｂ、および４ｃは、それぞれ、１０ｃｈ、１１ｃｈ、および１２ｃｈに対応している。
【００５０】
次に、各種のライトバー４が有する回路の構成について、図９〜図１１を参照しながら以下に説明する。なお本願では説明を簡潔とするため、完成された回路の一部（閉じていない場合も含む）についても、「回路」と称する場合がある。
【００５１】
図９は、ライトバー４ａの回路構成を示している。ライトバー４ａには、４個のＬＥＤ４１が直列に接続されて形成されたＬＥＤ回路部４８ａが設けられている。そしてライトバー４ａには、ＬＥＤ回路部４８ａの一端（正極側）をコネクタ４２ａに結びつけるライン４３ａ、および、ＬＥＤ回路部４８ａの他端（負極側）をコネクタ４２ａに結びつけるライン４５ａが、それぞれ設けられている。
【００５２】
図１０は、ライトバー４ｂの回路構成を示している。ライトバー４ｂには、４個のＬＥＤ４１が直列に接続されて形成されたＬＥＤ回路部４８ｂが設けられている。そしてライトバー４ｂには、ＬＥＤ回路部４８ｂの一端（正極側）をコネクタ４２ｂとコネクタ４２ｃに結びつけるライン４３ｂ、および、ＬＥＤ回路部４８ｂの他端（負極側）をコネクタ４２ｃに結びつけるライン４６ａが、それぞれ設けられている。
【００５３】
またライトバー４ｂには、コネクタ４２ｂをコネクタ４２ｃに結びつけるライン４５ｂが、設けられている。そしてコネクタ４２ａがコネクタ４２ｂに接続されたとき、ライン４３ａはライン４３ｂに、ライン４５ａはライン４５ｂに、それぞれ接続されるようになっている。
【００５４】
図１１は、ライトバー４ｃの回路構成を示している。ライトバー４ｃには、４個のＬＥＤ４１が直列に接続されて形成されたＬＥＤ回路部４８ｃが設けられている。そしてライトバー４ｃには、ＬＥＤ回路部４８ｃの一端（正極側）をコネクタ４２ｄとコネクタ４２ｅに結びつけるライン４３ｃ、および、ＬＥＤ回路部４８ｃの他端（負極側）をコネクタ４２ｅに結びつけるライン４７ａが、それぞれ設けられている。
【００５５】
またライトバー４ｃには、コネクタ４２ｄをコネクタ４２ｅに結びつけるラインとして、ライン４５ｃおよびライン４６ｂが設けられている。そしてコネクタ４２ｃがコネクタ４２ｄに接続されたとき、ライン４３ｂはライン４３ｃに、ライン４５ｂはライン４５ｃに、ライン４６ａはライン４６ｂに、それぞれ接続されるようになっている。またコネクタ４２ｅが本体側のコネクタ１３に接続されたとき、ライン４３ｃ、ライン４５ｃ、ライン４６ｂ、およびライン４７ａの各々は、バックライトドライバ７３に接続される。
【００５６】
図１２は、各ライトバー４を接続させた状態（つまり図４に示すように、バックライトユニット２を完成させた状態）において形成されるバックライト回路の構成を示している。本図に示すように各ライトバー４は、バックライトユニット２に取付けられたときに一体化して、バックライト回路を形成する。バックライト回路においては、ライン４３ａ、ライン４３ｂ、およびライン４３ｃが一体化して、各ＬＥＤ回路部（４８ａ〜４８ｃ）の正極側をバックライトドライバ７３（本体側）に接続するための、電源ライン４３が形成される。
【００５７】
またライン４５ａ、ライン４５ｂ、およびライン４５ｃが一体化して、ＬＥＤ回路部４８ａの負極側をバックライトドライバ７３に接続するための、フィードバックライン４５が形成される。またライン４６ａおよびライン４６ｂが一体化して、ＬＥＤ回路部４８ｂの負極側をバックライトドライバ７３に接続するための、フィードバックライン４６が形成される。またライン４７ａは、ＬＥＤ回路部４８ｃの負極側をバックライトドライバ７３に接続するための、フィードバックライン４７を形成する。
【００５８】
一方、バックライトドライバ７３には、各バックライトユニット２における電源ライン４３および各フィードバックライン（４５〜４７）が、それぞれ接続されることになる。なお、バックライトドライバ７３に接続される１２本のフィードバックラインの各々は、先述した１〜１２ｃｈのチャンネルに対応している。
【００５９】
そこでバックライトドライバ７３は、各電源ライン４３に所定の電圧Ｖｃｃ（例えば１８〜２５Ｖの範囲における一定電圧）を印加し、電源ライン４３およびフィードバックライン（４５〜４７）を用いてＬＥＤ４１の各々に電流を流す。そしてバックライトドライバ７３は、バックライト用信号に応じて、フィードバックラインごとに電流の大きさを制御する。これにより、チャンネルごとにバックライトの明るさ（ＬＥＤ４１の発光輝度）が制御され、ローカルディミングが実現される。
【００６０】
［ライトバーの取替作業について］
ところで画像表示装置１においては、例えば長期に亘る使用によって、一部または全部のＬＥＤ４１が劣化したり、故障したりする可能性がある。またローカルディミングが長期に亘って行われることで、異なるチャンネル同士でＬＥＤ４１の劣化度合に差が生じ、バックライトの明るさに差が生じる可能性もある。
【００６１】
しかし画像表示装置１によれば、このような不具合が発生しても、ライトバー４の取替作業を通じて、これを修復することが可能となっている。また、画像の一部分にだけ明るさの異常がある場合、すなわち、その部分に対応したチャンネルのＬＥＤ４１にだけ不具合があると考えられる場合には、そのチャンネルのライトバー４のみを取替えることで、ＬＥＤ４１の無駄な取替（正常なＬＥＤの取替）を抑えることが可能となっている。
【００６２】
ライトバーの取替作業は、例えば次のような手順で行われる。先ず、取替対象のライトバー４が取付けられているバックライトユニット２について、ねじ３が緩められ、当該バックライトユニット２が本体から引出される。なおこのとき、コネクタ４２ｅをコネクタ１３から切り離すことで、引出しをよりスムーズに行うことが可能となる。ここまでの段階で、取替対象のライトバー４が露出した状態となる。
【００６３】
次に、取替対象のライトバー４について、ねじ２４が緩められ、当該ライトバー４が放熱板２１から取り外される。そしてこれと同じ仕様の新たなライトバー４が、ねじ２４を用いてその位置に取付けられる。その後、コネクタ４２ｅがコネクタ１３に接続されるとともに、バックライトユニット２が本体に挿入され、ねじ３が締められることによって取替作業が完了する。
【００６４】
［ライトバーのベース部品について］
これまでに説明した通り、同じバックライトユニット２に取付けられるライトバー４には３種類（４ａ〜４ｃ）があり、図９〜図１１に示したように、それぞれ回路構成が異なっている。しかしライトバー４の製造効率を考慮すれば、製造工程は出来るだけ共通化されることが望ましい。例えば、何れの種類にも共通となるベース部品（ライトバー４の未完成品）が製造されるようにし、当該ベース部品を基にして、各種のライトバー４（或いは、これらと同等の機能をもつ部品）が形成されることが望ましい。
【００６５】
このようなベース部品について、製造効率を重視したものの具体例を挙げて、以下に説明する。図１３は、当該ベース部品５の構成を示している。ベース部品５は、各ライトバー４と同じサイズの略直方体に形成されており、その長手方向に並ぶように４個のＬＥＤ５１（ＬＥＤ４１と同じもの）が設けられている。これらのＬＥＤ５１は直列に接続され、ＬＥＤ回路部５８を形成している。
【００６６】
またベース部品５には、他のライトバー４等との電気的接続に用いられるコネクタ（５２ａ、５２ｂ）が、その長手方向の端面側に設けられている。より具体的には、ベース部品５の一端側にはコネクタ５２ａが、ベース部品５の他端側にはコネクタ５２ｂが、それぞれ設けられている。
【００６７】
そしてベース部品５には、ＬＥＤ回路部５８の一端（正極側）をコネクタ５２ａとコネクタ５２ｂに結びつけるライン５３が設けられている。またベース部品５には、コネクタ５２ａをコネクタ５２ｂに結びつけるラインとして、ライン５５、ライン５６、およびライン５７が設けられている。
【００６８】
またベース部品５には、ＬＥＤ回路部５８の他端（負極側）を各ライン（５５〜５７）へ接続させるジャンパー線（５９ａ〜５９ｃ）が設けられている。なお、ジャンパー線５９ａはライン５５への接続に、ジャンパー線５９ｂはライン５６への接続に、ジャンパー線５９ｃはライン５７への接続に、それぞれ用いられている。また各々のジャンパー線（５９ａ〜５９ｃ）は、切断によって当該接続の解除が可能となっている。
【００６９】
またコネクタ５２ａとコネクタ５２ｂは、互いに対応するように形成されている。つまりベース部品５が二つある場合、一方のベース部品５のコネクタ５２ａと、他方のベース部品５のコネクタ５２ｂとは、互いに接続可能である。そしてこのようにコネクタ（５２ａ、５２ｂ）同士が接続されると、それぞれのベース部品５における４本のライン（５３、５５〜５７）同士が、互いに接続されるようになっている。またコネクタ５２ａおよびコネクタ５２ｂは、本体側のコネクタ１３にも接続可能に形成されている。
【００７０】
上述した構成のベース部品５を用いれば、次のようにして、各種のライトバーと同等の部品を形成することが可能である。まずライトバー４ａ（図９を参照）と同等の部品は、ジャンパー線５９ａ以外のジャンパー線（５９ｂ、５９ｃ）を切断することにより形成される。なおこの場合、コネクタ５２ｂはコネクタ４２ａに、ライン５３はライン４３ａに、ジャンパー線５９ａおよびライン５５はライン４５ａに、ＬＥＤ回路部５８はＬＥＤ回路部４８ａに、それぞれ相当する。
【００７１】
またライトバー４ｂ（図１０を参照）と同等の部品は、ジャンパー線５９ｂ以外のジャンパー線（５９ａ、５９ｃ）を切断することにより形成される。なおこの場合、コネクタ５２ａはコネクタ４２ｂに、コネクタ５２ｂはコネクタ４２ｃに、ライン５３はライン４３ｂに、ライン５５はライン４５ｂに、ジャンパー線５９ｂおよびライン５６はライン４６ａに、ＬＥＤ回路部５８はＬＥＤ回路部４８ｂに、それぞれ相当する。
【００７２】
またライトバー４ｃ（図１１を参照）と同等の部品は、ジャンパー線５９ｃ以外のジャンパー線（５９ａ、５９ｂ）を切断することにより形成される。なおこの場合、コネクタ５２ａはコネクタ４２ｄに、コネクタ５２ｂはコネクタ４２ｅに、ライン５３はライン４３ｃに、ライン５５はライン４５ｃに、ライン５６はライン４６ｂに、ジャンパー線５９ｃおよびライン５７はライン４７ａに、ＬＥＤ回路部５８はＬＥＤ回路部４８ｃに、それぞれ相当する。
【００７３】
なおジャンパー線（５９ａ〜５９ｃ）の切断は、ライトバー４の製造工程（出荷前）の段階で行われるようにしても良く、画像表示装置１のユーザや作業者などによって、適宜行われるようにしても構わない。またＬＥＤ回路部５８を何れかのライン（５５〜５７）に選択的に接続させる手段としては、切断可能なジャンパー線を利用するものの他、各種の手段が採用され得る。
【００７４】
上述したようにベース部品５は、ＬＥＤ５１と、ＬＥＤ５１の一端に接続されたライン５３（第１サブライン）と、互いに独立したライン５５（１番目の第２サブライン）、ライン５６（２番目の第２サブライン）、およびライン５７（３番目の第２サブライン）と、を有している。また更にベース部品５は、隣り合う他のベース部品５との間で、ライン５３同士、ライン５５同士、ライン５６同士、およびライン５７同士がそれぞれ接続するように構成されている。またベース部品５は、ＬＥＤ５１の他端をライン（５５〜５７）のうちのＫ番目（１≦Ｋ≦３）のみに接続させる処理（ジャンパー線の切断処理）が加えられることで、Ｋ番目のライトバー４を形成するものとなっている。
【００７５】
またベース部品５が利用される場合、電源ライン４３は、ライン５３同士が連結することにより形成される。またフィードバックライン４５は、ライン５５同士が連結することにより形成される。またフィードバックライン４６は、ライン５６同士が連結することにより形成される。またフィードバックライン４７は、ライン５７同士が連結することにより形成される。
【００７６】
［その他］
以上に説明した通り、画像表示装置１は、液晶パネル１２（ディスプレイ）が設けられた本体と、本体に着脱自在となっており、各々にＬＥＤ４１が設けられた３個のライトバー４（ＬＥＤモジュール）が取付けられるバックライトユニット２と、を備え、ＬＥＤ４１が発する光をバックライトとして、液晶パネル１２に画像を表示する。そして３個のライトバー４の各々は、ＬＥＤ４１の発光輝度の制御単位となるチャンネルが別個に割当てられており、互いに独立して取替自在となっている。
【００７７】
その結果、画像表示装置１によれば、ライトバー４の取替により、ＬＥＤ４１をチャンネルごとに取替えることが可能となっている。そのためＬＥＤ４１を、チャンネルごとに取替えることが容易となっている。
【００７８】
また本発明の実施形態としては、上述したものの他、本発明の主旨を逸脱しない限り、種々の改変を加えることが可能である。例えば、ライトバー４やＬＥＤ４１の個数などに関しては、様々な形態を採ることができる。また本体とバックライトユニット２との接続は、コネクタ１３とコネクタ４２ｅを用いる形態（図５を参照）に代えて、図１４に示すように、コネクタ１３´とコネクタ４２ｅ´を用いる形態とすることも可能である。
【００７９】
なおコネクタ４２ｅ´は、コネクタ４２ｅと同等の機能を有し、バックライトユニット２における固定板２２が設けられていない側の端部に設置されている。またコネクタ１３´は、コネクタ１３と同等の機能を有し、筐体１１の内部におけるコネクタ４２ｅ´に対応する位置に設置されている。本形態によれば、バックライトユニット２を本体に装着する（最も奥まで挿入する）ことにより、コネクタ１３´にコネクタ４２ｅ´を接続させ、バックライトユニット２を本体に接続させることが可能である。
【００８０】
またバックライトの形態としては、本実施形態のようなエッジライト方式に限られず、直下型方式を採用することも可能である。
【産業上の利用可能性】
【００８１】
本発明は、各種用途の画像表示装置に利用することができる。
【符号の説明】
【００８２】
１    画像表示装置
２、２ａ〜２ｄ    バックライトユニット
３    ねじ
４    ライトバー（ＬＥＤモジュール）
４ａ  ライトバー（１番目のＬＥＤモジュール）
４ｂ  ライトバー（２番目のＬＥＤモジュール）
４ｃ  ライトバー（３番目のＬＥＤモジュール）
５    ベース部品
１１    筐体
１１ａ  開口部
１１ｂ  ねじ穴
１１ｃ  ガイドレール
１１ｄ  凸状部
１２    液晶パネル（ディスプレイ）
１３    コネクタ
１５    導光板
１５ａ  凹状部
２１    放熱板
２２    固定板
２３    貫通穴
２４    ねじ
４１    ＬＥＤ
４２、４２ａ〜４２ｅ    コネクタ
４３    電源ライン（第１ライン）
４５〜４７    フィードバックライン（第２ライン）
４８    ＬＥＤ回路部
５１    ＬＥＤ
５２ａ、５２ｂ    コネクタ
５３    ライン（第１サブライン）
５５    ライン（１番目の第２サブライン）
５６    ライン（２番目の第２サブライン）
５７    ライン（３番目の第２サブライン）
５８    ＬＥＤ回路部
５９ａ〜５９ｃ    ジャンパー線
７１    画像処理回路
７２    液晶パネルドライバ
７３    バックライトドライバ
【図１】
2012113152.tif 000003
【図２】
2012113152.tif 000004
【図３】
2012113152.tif 000005
【図４】
2012113152.tif 000006
【図５】
2012113152.tif 000007
【図６】
2012113152.tif 000008
【図７】
2012113152.tif 000009
【図８】
2012113152.tif 000010
【図９】
2012113152.tif 000011
【図１０】
2012113152.tif 000012
【図１１】
2012113152.tif 000013
【図１２】
2012113152.tif 000014
【図１３】
2012113152.tif 000015
【図１４】
2012113152.tif 000016